(57)【要約】【課題】従来のズボンの裾の部分は、ズボンそのものの生地であり、その形を失いやすく、折り曲がりやすくなっているため、サンダルやミュールの様に踵が固定されていない場合、歩く事によって裾の部分が踵の下に入り込んでしまい、歩き難いし、外観的にもみっともない事である。そして、踏まれた裾はぼろぼろになってしまう。【解決手段】その入り込んでいって踏まれている後ろの裾の部分に、更に別個の繊維、紙、あるいは少々柔らかめの合成樹脂の様な強化ガードを付け、その裾の部分が簡単に折り曲がる事なく踵の下に裾が入り込んでくるのを防止する事ができる。【選択図】図１
2006214069.tif 000002
【特許請求の範囲】
【請求項１】
ズボンの全体の生地とは違う別個の強化ガードを後ろの裾の内側に取り付ける裾踏み止防止用強化ガード。
【請求項２】
その強化ガードの素材としては、少々硬めの繊維、紙、又は柔らかめの合成樹脂の様に軽量なもので、裾の部分が外部からの物理的な力によって簡単に折り曲がらない特性を持ったものを使用する裾踏み防止用強化ガード。
【請求項３】
付け方としては、ミシンを使用し、永久固定をするか、ベルクロ、又はクリップを使用し手軽に脱着できる様にする。いずれも、強化ガードの効果は同じではあるが、この二つの付け方の中、必要に応じて自分の都合に合った方法を選択できる裾踏み防止用強化ガード。
【請求項４】
この強化ガードの形や大きさは、従来、踵の下に入り込んで踏まれていた裾の範囲がそれとなる裾踏み防止用強化ガード。
しかしそれは、人それぞれの個人差により若干違うものであるため、付けた時にはよりいいスタイルの演出のため、無駄な範囲を取らずになるべく目立たない様、最小限の共通のデザインが求められる裾踏み防止用強化ガード。
【発明の詳細な説明】
【技術分野】
【０００１】  本発明は、ズボンの後ろの裾の部分に、更に別個の繊維、紙、あるいは少々柔らかめの合成樹脂を付け、その裾の部分が簡単に折り曲がらなく、形を保てる機能を働かせる物に関する。
【背景技術】
【０００２】  従来のズボンの裾の部分は、ズボンそのものの生地であり、その形を失いやすく、折り曲がりやすくなっているため、サンダルやミュールなどを履いて歩く時、裾の部分が踵の下に入り込んでしまう事がよくあるので、歩き難いし、外観的にもみっともない事である。
このため、踵とサンダルをストラップで固定させ、その問題点を防止しようとしたものがある。（特許文献１参照。）【０００３】  ズボンの長さを脚の長さより少々長めにし、足元までにする事は、脚が長く見えており、いいスタイルを演出する方法として大勢の人に好まれている。とりわけ、サンダルやミュールの様にヒールのある靴を履く時は、ズボンの裾が地面に引きずられる恐れもなく、正にズボンを長めにしたデザインの効果は抜群である。【０００４】  しかし、サンダルやミュールの様に、踵と靴を固定させるものがない履物には、一つの不便さが生じてくる。それは、歩く事によって、ズボンの後ろの裾が、踵と靴の間に入り込み、踵によって踏まれてしまうのである。それで、歩き難くなるのは当然な事ながら、せっかくよいスタイルの演出が台無しになってしまう。また、集中的に踏まれた裾は、ぼろぼろになり、破れていくのである。
一般的に、特殊な機能を発揮させるズボン以外に普通のズボンとは、ズボンの生地と裾の生地が別の生地ではなく、同じ生地でできており、ズボンの生地が比較的に薄くて、柔らかいものであればあるほど、踵の下に入り込みやすくなり、従って、この不便さや格好悪さは増加する。
実際に、町の中でこの風景を観察してみたら、裾が入り込まないように気を使った不自然な歩き方をしている人も多ければ、信号待ちで止まっている時は、踵の下から引っ張り出し、しばらく入り込んでいかないように、裾の形を整えたりする風景がよく見かけられたのであった。【０００５】
【特許文献１】特開２００４−６５８６９
【発明の開示】
【発明が解決しようとする課題】
【０００６】  以上に述べた従来のズボンの裾には、踵が靴と固定されていない、サンダルやミュールなどと組み合わせるファッションにする時に、裾が踵の下に入り込んでいく問題に対し、その対策機能が全く付いていなく、ただ、我慢する他適合な方法がなかった。【０００７】  本発明は、このような従来の裾が抱えた問題を解決しようとするものであり、裾の部分を簡単に折り曲がらないように少々硬めに強化させ、踵の下に入り込んで踏んでしまう事がなく、自然な歩き方はさることながら、外観的にもよりいいスタイルの演出を実現する事を目的とする。
【課題を解決するための手段】
【０００８】  そして、本発明は上記目的を達成するために、ズボンの全体の生地とは違う別個の強化ガードを後ろの裾の内側に取り付ける。【０００９】  その強化ガードの素材としては、少々硬めの繊維、紙、又は柔らかめの合成樹脂の様に軽量なもので、裾の部分が外部からの物理的な力によって簡単に折り曲がらない特性を持ったものを使用する。【００１０】  付け方としては、ミシンを使用し、永久固定をするか、ベルクロ、又はクリップを使用し、必要に応じて手軽に脱着する方法が考えられる。いずれも、外から見てあまり目立たない様にすることがいいスタイルの演出のために望ましい。【００１１】  また、この強化ガードの形や大きさは、従来、踵の下に入り込んで踏まれていた裾の範囲がそれとなる。しかしそれは、人それぞれの個人差により若干違うものであるため、付けた時にはなるべく目立たない様、最小限の共通のデザインが求められる。
こうして作られた強化ガードは、従来の裾の柔らかさによってできたりしたしわが付き難くなるため、踵の下に入り込まれて踏まれなく、裾の原型保存効果を発揮する。
【発明の効果】
【００１２】  上述したように本発明の裾強化ガードは、従来存在すらしなかったものであり、これによって、ズボンの長さをもう少し長くし、よりスリムでロングな脚のスタイルが試みられるし、普段通りに自分らしく爽やかに歩く事ができるのである。【００１３】  そして、従来踏まれ続けてきた裾の部分は、もう踏まれなくなるため、生地を痛んでしまう事がなくなり、従って、破れかけた裾を修繕したり、やむを得ず新しいズボンを購入したりする不合理的な出費や面倒な事の解消という効果も発揮するものである。
【発明を実施するための最良の形態】
【００１４】  以下、本発明の実施の形態を図１〜図２に基づいて説明する。【００１５】  図１は、一般的なサンダルに本発明品を完全に取り付けた状態である。付け方は、この強化ガードの周りの部分にミシンなどを使って永久固定させるか、又は、３と５を使い必要に応じて脱着できる様な方法を選べばいい。
そして、この７Ａのデザインは図２の様に卵円形であり、サイズは縦約７ｃｍ、横約１６ｃｍである。しかし、個人差によってそのサイズは少々変わるものであると考えられる。
また、３と５を使って脱着の方法で取り付ける場合、図３の様に裾の内角に合わせて少々曲がった状態が原型である様加工しておけば、取り付けも容易であり、格好の自然さも試みることができる。【００１６】  ５の場合はクリップでズボンと７Ａを固定させる方法であり、そのクリップの片方を７Ａに永久固定させ、クリップの紛失や、抜けかけたりして不安定な取り付けを防ぐ機能を図ったものである。またサイズとしては、長さ約３センチのものである。【００１７】  ３の場合は繊維専用の接着剤を使い、ベルクロの片方をズボンに固定させる必要があるが、外から取り付けの道具が全く見えないので、外観的に３よりは優れた取り付け方法である。サイズとしては、縦と横が２センチ程度あれば十分と考えられる。
いずれも、それぞれのメリットがあるため、個人差で決めるといい。
以上の様に、ズボンの後ろの裾に、内部から強化ガードを取り付ける事によって、踵の下に裾が入り込まない効果が得られるのである。
【図面の簡単な説明】
【００１８】
【図１】本発明の実施形態を全体に示す図面
【図２】取り付け道具の位置を示す強化ガードの平面図
【図３】強化ガードの立体図
【符号の説明】
【００１９】３    ベルクロ
５    クリップ
７Ａ  強化ガード
【図１】
2006214069.tif 000003
【図２】
2006214069.tif 000004
【図３】
2006214069.tif 000005